(57)【特許請求の範囲】
【請求項１】
給湯器のガス燃焼量を調整するガス比例弁と、前記ガス比例弁を駆動制御するガス比例弁回路と、前記ガス比例弁回路にガス燃焼量に対応した電気信号を出力するガス燃焼量制御手段と、前記ガス燃焼量を増加させるときに操作する調圧アップスイッチと、前記ガス燃焼量を減少させるときに操作する調圧ダウンスイッチと、前記調圧スイッチを一度押してから離したことを検知するエッジ確定手段と、特定の燃焼条件で燃焼を行う複数の燃焼モードから所定の燃焼モードに切り換える調整モードスイッチと、前記調整モードスイッチにより選択された燃焼モードにおける調整後のガス燃焼量を記憶する２次圧調整量記憶エリアを有するとともに、前記調圧スイッチの一回の操作で変化するガス燃焼量を記憶した２次圧変化量記憶エリアを有した不揮発性メモリーとを備え、前記調整モードスイッチにより選択された燃焼モードに応じて前記２次圧変化量記憶エリアに記憶された変化量を用いて前記調圧スイッチによりガス燃焼量の調整を行うようにした制御装置。
【発明の詳細な説明】
【０００１】
【発明の属する技術分野】
本発明は、家庭用給湯器の制御装置に関するものである。
【０００２】
【従来の技術】
従来、例えば、ガス給湯器では、最小燃焼量と最大燃焼量のそれぞれガス燃焼量（以後ガス２次圧と呼ぶ）を調圧する際、調整モードスイッチで各燃焼状態にし、調圧スイッチによりガス２次圧を変化させ、ガス２次圧を設計通りの値に調整していた。
【０００３】
【発明が解決しようとする課題】
しかし、従来の２次圧調整方法では調圧アップスイッチ、調圧ダウンスイッチが押された時ガス２次圧を増減させていたのでは、調圧アップスイッチ、調圧ダウンスイッチそれぞれをショート検知する必要があり、ガス２次圧を増減させるため安全でないという課題があった。
【０００４】
本発明は、上記課題を解決するもので、調圧アップスイッチと調圧ダウンスイッチが一度押して離されたことを検出することにより調圧スイッチのショート検知する必要がなく、ガス比例弁の２次圧の調整を安全に行うことを主目的とする。
【０００５】
【課題を解決するための手段】
本発明の制御装置においては、給湯器のガス燃焼量を調整するガス比例弁と、前記ガス比例弁を駆動制御するガス比例弁回路と、前記ガス比例弁回路にガス燃焼量に対応した電気信号を出力するガス燃焼量制御手段と、前記ガス燃焼量を増加させるときに操作する調圧アップスイッチと、前記ガス燃焼量を減少させるときに操作する調圧ダウンスイッチと、前記調圧スイッチを一度押してから離したことを検知するエッジ確定手段と、特定の燃焼条件で燃焼を行う複数の燃焼モードから所定の燃焼モードに切り換える調整モードスイッチと、前記調整モードスイッチにより選択された燃焼モードにおける調整後のガス燃焼量を記憶する２次圧調整量記憶エリアを有するとともに、前記調圧スイッチの一回の操作で変化するガス燃焼量を記憶した２次圧変化量記憶エリアを有した不揮発性メモリーとを備え、前記調整モードスイッチにより選択された燃焼モードに応じて前記２次圧変化量記憶エリアに記憶された変化量を用いて前記調圧スイッチによりガス燃焼量の調整を行うようにしたものである。
【０００６】
この本発明によれば、調圧スイッチのショート検知をする必要がなく、ガス比例弁の２次圧の調整を安全に行うことができるという効果がある。また、燃焼モードに応じて調圧スイッチの一回の操作に対する重み付けを行うことで、調整スイッチによるガス燃焼量調整の操作性を向上することができるという効果がある。
【０００７】
【発明の実施の形態】
上記目的を達成するために本発明の制御装置は、給湯器のガス燃焼量を調整するガス比例弁と、前記ガス比例弁を駆動制御するガス比例弁回路と、前記ガス比例弁回路にガス燃焼量に対応した電気信号を出力するガス燃焼量制御手段と、前記ガス燃焼量を増加させるときに操作する調圧アップスイッチと、前記ガス燃焼量を減少させるときに操作する調圧ダウンスイッチと、前記調圧スイッチを一度押してから離したことを検知するエッジ確定手段と、特定の燃焼条件で燃焼を行う複数の燃焼モードから所定の燃焼モードに切り換える調整モードスイッチと、前記調整モードスイッチにより選択された燃焼モードにおける調整後のガス燃焼量を記憶する２次圧調整量記憶エリアを有するとともに、前記調圧スイッチの一回の操作で変化するガス燃焼量を記憶した２次圧変化量記憶エリアを有した不揮発性メモリーとを備え、前記調整モードスイッチにより選択された燃焼モードに応じて前記２次圧変化量記憶エリアに記憶された変化量を用いて前記調圧スイッチによりガス燃焼量の調整を行うようにしたものである。
【０００８】
上記実施の形態により本発明の制御装置は、調圧アップスイッチと調圧ダウンスイッチが一度押して離されたことを検出することにより操作が行われたことを判定するようにしているため、前記調圧スイッチのショート検知する必要がなく、ガス比例弁の２次圧の調整を安全に行うことができる。また、燃焼モードに応じて調圧スイッチの一回の操作に対する重み付けを行うことで、調整スイッチによるガス燃焼量調整の操作性を向上することができる。
【０００９】
以下、本発明の制御装置の実施例について説明する。
【００１０】
図１は、本発明の一実施例としての給湯器の制御装置である。給湯器１２の構成は、必要なガス量をガスバーナ４に供給するガス比例弁１と、ガス比例弁１を制御するガス比例弁回路２と、必要なガス量をガス比例弁２に出力するガス燃焼量制御手段３と、ガス比例弁１から供給されるガス量を燃焼させるガスバーナ４と、ガス燃焼量制御手段３から出力
させるガス燃焼量を増加させる調圧アップスイッチ５とガス燃焼量制御手段３から出力させるガス燃焼量を減少させる調圧ダウンスイッチ６と、調圧アップスイッチ５と調圧ダウンスイッチ６が一度押されて離されるエッジを判定するエッジ確定手段７と、調圧アップスイッチ５と調圧ダウンスイッチ６とエッジ確定手段７により、増減されたガス燃焼量制御手段３から出力されるガス燃焼量が一定量以上または以下の場合、ガス燃焼量に制限をかけるガス調整量制限手段８と、ガス燃焼量調整時、ガス燃焼量制御手段３にガス燃焼量の状態を切換させる調整モードスイッチ９と、調整モードスイッチ９による燃焼状態切換時、各燃焼状態のガス２次圧値を記憶させる不揮発性メモリ１０と、調圧アップスイッチ５と調圧ダウンスイッチ６とエッジ確定手段７によりガス燃焼量を増減させる際、一回の操作でガス２次圧値の変化量を固定値として記憶させる不揮発性メモリ１１と、ガス２次圧値を記憶させる不揮発性メモリ１０にガス燃焼量制御手段３のガス２次圧値を記憶させる不揮発性メモリ書き込み手段１４と、調整モードスイッチ９の切換えがあった場合不揮発性メモリ書き込み手段１４にガス燃焼量制御手段３のガス２次圧値を書き込む要求を行う切換え判定手段１３から構成される。
【００１１】
以下、本実施例の動作について説明する。調圧アップスイッチ５をＯＮ／ＯＦＦ一回操作すると、エッジ確定手段７により調圧アップスイッチ５の立ち上がりエッジを確定する。次にガス燃焼量制御手段３によりガス２次圧値を増加させ、ガス比例弁回路２を介してガス比例弁１へ出力される。
【００１２】
また、調圧ダウンスイッチ６をＯＮ／ＯＦＦ一回操作すると、エッジ確定手段７により調圧ダウンスイッチ６の立ち上がりエッジを確定する。次にガス燃焼量制御手段３によりガス２次圧値を減少させ、ガス比例弁回路２を介してガス比例弁１へ出力される。
【００１３】
次に、調圧モードスイッチ９について説明する。燃焼モードはバーナの本数とＴＤＲ、ＭＡＸというモードが存在する。３本のガスバーナ４の場合だと１／３ＴＤＲ（１本の最小燃焼）、１／３ＭＡＸ（１本の最大燃焼）、２／３ＴＤＲ（２本の最小燃焼）、２／３ＭＡＸ（２本の最大燃焼）、３／３ＴＤＲ（３本の最小燃焼）、３／３ＭＡＸ（３本の最大燃焼）というように６通り燃焼モードが存在する。
【００１４】
調整モードスイッチ９により所定のガス燃焼モード（たとえば１／３ＴＤＲ燃焼）にする。ガス２次圧を設定値にするため、調圧アップスイッチ５、調圧ダウンスイッチ６により複数回、ＯＮ／ＯＦＦ操作を繰り返し、ガス燃焼量を調整する。
【００１５】
ガス２次圧が設定値になると、調整モードスイッチ９を別のモードに切り換える（たとえば１／３ＭＡＸ燃焼）と、切換判定手段１３より、不揮発性メモリ書き込み手段１４に書き込み要求を行い、左記で調整したガス２次圧値を調整モード切換前（１／３ＴＤＲ）の値とし、不揮発性メモリの２次圧調整量記憶エリア１０に書き込み（１／３ＴＤＲのエリアに書き込む）、調整した値を記憶しておく。
【００１６】
また、上記操作において、調圧アップスイッチ５をＯＮ／ＯＦＦ一回操作すると、エッジ確定手段７により調圧アップスイッチ５の立ち上がりエッジを確定し、次にガス燃焼量制御手段３によりガス２次圧値を増加させるが、増加させたガス２次圧値が増加方向一定値以上の場合、ガス調整量制限手段８によりガス２次圧に制限を加える。制限のかかった２次圧値を、ガス比例弁回路２を介してガス比例弁１へ出力される。
【００１７】
また、ガス２次圧値を減少させる場合も同様に、調圧ダウンスイッチ６をＯＮ／ＯＦＦ一回操作すると、エッジ確定手段７により調圧ダウンスイッチ６の立ち上がりエッジを確定する。
【００１８】
次にガス燃焼量制御手段３によりガス２次圧値を減少させるが、減少させたガス２次圧値が減少方向一定値以下の場合、ガス調整量制限手段８によりガス２次圧に制限を加える。制限のかかった２次圧値を、ガス比例弁回路２を介してガス比例弁１へ出力される。
次に、不揮発性メモリについて説明する。不揮発性メモリには、調整後の２次圧値を記憶する２次圧調整量記憶エリア１０と、調圧スイッチの一回の操作により変化するガス２次圧値の変化量を記憶した２次圧変化量記憶エリア１１を有しており、調圧スイッチが操作されると前記２次圧変化量記憶エリア１１に記憶された所定のガス２次圧値の変化量を用いて調整が行われる、つまり、調圧アップスイッチ５をＯＮ／ＯＦＦ一回操作すると、エッジ確定手段７により調圧アップスイッチ５の立ち上がりエッジを確定する。立ち上がりエッジが確定されると不揮発性メモリの２次圧変化量記憶エリア１１に記憶されている、一回の操作によるガス２次圧値の変化量分、ガス２次圧値を増加する。
【００１９】
次にガス燃焼量制御手段３によりガス２次圧値を増加させ、ガス調整量制限手段８により、増加させたガス２次圧値が増加方向一定値以上の場合ガス２次圧に制限を加える。制限のかかった２次圧値を、ガス比例弁回路２を介してガス比例弁１へ出力される。
【００２０】
また、ガス２次圧値を減少させる場合も同様に、調圧ダウンスイッチ６をＯＮ／ＯＦＦ一回操作すると、エッジ確定手段７により調圧ダウンスイッチ６の立ち上がりエッジを確定する。立ち上がりエッジが確定されると不揮発性メモリの２次圧変化量記憶エリア１１に記憶されている、一回の操作によるガス２次圧値の変化量分、ガス２次圧値を減少する。
【００２１】
次にガス燃焼量制御手段３によりガス２次圧値を減少させ、ガス調整量制限手段８により、減少させたガス２次圧値が減少方向一定値以下の場合ガス２次圧に制限を加える。制限のかかった２次圧値を、ガス比例弁回路２を介してガス比例弁１へ出力される。
【００２２】
次に、上記動作を調圧モードスイッチ９の操作と関連付けて説明する。調整モードスイッチ９を２／３ＴＤＲに切換し、調圧アップスイッチ５をＯＮ／ＯＦＦ一回操作すると、エッジ確定手段７により調圧アップスイッチ５の立ち上がりエッジを確定する。
【００２３】
立ち上がりエッジが確定されると不揮発性メモリの２次圧変化量記憶エリア１１に記憶されている、燃焼モードがＴＤＲの場合に調圧スイッチの一回の操作により変化するガス２次圧値の変化量を用いてガス２次圧値を増加する。次にガス燃焼量制御手段３によりガス２次圧値を増加させ、調整量制限手段８により、増加させたガス２次圧値が増加方向一定値以上の場合ガス２次圧に制限を加える。制限のかかった２次圧値を、ガス比例弁回路２を介してガス比例弁１へ出力される。
【００２４】
また、ガス２次圧値を減少させる場合も同様に、調圧ダウンスイッチ６をＯＮ／ＯＦＦ一回操作すると、エッジ確定手段７により調圧ダウンスイッチ６の立ち上がりエッジを確定する。立ち上がりエッジが確定されると不揮発性メモリの２次圧変化量記憶エリア１１に記憶されている、燃焼モードがＴＤＲの場合に調圧スイッチの一回の操作により変化するガス２次圧値の変化量を用いてガス２次圧値を減少する。
【００２５】
次にガス燃焼量制御手段３によりガス２次圧値を減少させ、調整量制限手段８により、減少させたガス２次圧値が減少方向一定値以下の場合ガス２次圧に制限を加える。制限のかかった２次圧値を、ガス比例弁回路２を介してガス比例弁１へ出力される。上記操作を行い２／３ＴＤＲの値を設定値に調整する。
【００２６】
次に、調整モードスイッチ９を２／３ＭＡＸに切換し、調圧アップスイッチ５をＯＮ／ＯＦＦ一回操作すると、エッジ確定手段７により調圧アップスイッチ５の立ち上がりエッ
ジを確定する。立ち上がりエッジが確定されると不揮発性メモリの２次圧変化量記憶エリア１１に記憶されている、燃焼モードがＭＡＸの場合に調圧スイッチの一回の操作により変化するガス２次圧値の変化量を用いてガス２次圧値を増加する。
【００２７】
次にガス燃焼量制御手段３によりガス２次圧値を増加させ、調整量制限手段８により、増加させたガス２次圧値が増加方向一定値以上の場合ガス２次圧に制限を加える。制限のかかった２次圧値を、ガス比例弁回路２を介してガス比例弁１へ出力される。
【００２８】
また、ガス２次圧値を減少させる場合も同様に、調圧ダウンスイッチ６をＯＮ／ＯＦＦ一回操作すると、エッジ確定手段７により調圧ダウンスイッチ６の立ち上がりエッジを確定する。立ち上がりエッジが確定されると不揮発性メモリの２次圧変化量記憶エリア１１に記憶されている、燃焼モードがＭＡＸの場合に調圧スイッチの一回の操作により変化するガス２次圧値の変化量を用いてガス２次圧値を減少する。
【００２９】
次にガス燃焼量制御手段３によりガス２次圧値を減少させ、調整量制限手段８により、減少させたガス２次圧値が減少方向一定値以下の場合ガス２次圧に制限を加える。制限のかかった２次圧値を、ガス比例弁回路２を介してガス比例弁１へ出力される。上記操作を行い２／３ＭＡＸの値を設定値に調整する。このように、調圧モードスイッチ９により切り換えられた燃焼モードに応じて不揮発性メモリの２次圧変化量記憶エリア１１に記憶されている調圧スイッチの一回の操作により変化するガス２次圧値の変化量を用いて調整を行うようにしているため、燃焼モード（例えば、ＴＤＲ、ＭＡＸ）に応じて調圧スイッチの一回の操作に対する重み付け（ＴＤＲは細かく、ＭＡＸは粗く）をして不揮発性メモリの２次圧変化量記憶エリア１１に記憶させることで、調圧スイッチの一回の操作の割合を燃焼モード（ＴＤＲ、ＭＡＸ）に応じて適正に設定することができる。
【００３０】
【発明の効果】
以上の説明から明らかなように、本発明の制御装置は、調圧アップスイッチと調圧ダウンスイッチが一度押して離されたことを検出することにより操作が行われたことを判定するようにしているため、前記調圧スイッチのショート検知する必要がなく、ガス比例弁の２次圧の調整を安全に行うことができる効果がある。また、燃焼モードに応じて調圧スイッチの一回の操作に対する重み付けを行うことで、調整スイッチによるガス燃焼量調整の操作性を向上することができる。
【図面の簡単な説明】
【図１】  本発明の実施例における制御装置のブロック図
【符号の説明】
１  ガス比例弁
２  ガス比例弁回路
３  ガス燃焼量制御手段
４  ガスバーナ
５  調圧アップスイッチ
６  調圧ダウンスイッチ
７  エッジ確定手段
８  ガス調整量制御手段
９  調整モードスイッチ
１０  不揮発性メモリ（２次圧調整量記憶エリア）
１１  不揮発性メモリ（２次圧変化量記憶エリア）
１２  給湯器
１３  調整モード切換え判定手段
１４  不揮発性メモリ書き込み手段
【図１】
0003740734.tif 000002